(57)【要約】【課題】使用者が保温動作による追い焚き運転が終了した直後に入浴した場合、設定温度よりも高い温度で不快に感じたり、入浴前にリモコンで設定温度を変更した場合、現在の浴槽水温度が設定温度に比べてどうなのかを確かめる手段が自分で浴室に行って浴槽水温度を確かめることでしか分からなく、使い勝手が悪く浴槽水温度によっては不快に感じてしまうという問題があった。【解決手段】浴槽水温度が高温になっていることを注意する注意喚起情報を予め記憶する記憶手段２７ｆと、浴槽水温度が高温になっているかを判定する判定手段３０ａとを設け、本体制御手段３０は、人検知手段２９で人が入室したと検知したとき、判定手段３０ａが浴槽水温度が高温である高温状態と判定した場合、記憶手段２７ｆに記憶されている注意喚起情報を浴室内リモコン２７の報知手段から報知するようにした。【選択図】図１
2020016407.tif 000002
【特許請求の範囲】
【請求項１】
使用者が風呂設定温度を任意に変更できる変更スイッチと報知手段とを有し、浴室に設けられた浴室内リモコンと、人が浴室に入室したか否かを検知する人検知手段と、浴槽水を加熱して少なくとも前記風呂設定温度以上に沸き上げる追い焚き運転を行う本体制御手段とを備えた風呂給湯装置において、浴槽水温度が高温になっていることを注意する注意喚起情報を予め記憶する記憶手段と、浴槽水温度が高温になっているかを判定する判定手段とを設け、前記本体制御手段は、前記人検知手段で人が入室したと検知したとき、前記判定手段が前記浴槽水温度が高温である高温状態と判定した場合、前記記憶手段に記憶されている前記注意喚起情報を前記浴室内リモコンの前記報知手段から報知するようにしたことを特徴とする風呂給湯装置。
【請求項２】
前記判定手段は、前記人検知手段で人が入室したと検知したときの浴槽水温度が予め設定された基準浴槽水温度よりも高い場合、前記高温状態と判定するようにしたことを特徴とする請求項１記載の風呂給湯装置。
【請求項３】
前記判定手段は、直前の前記追い焚き運転が終了してから入室までの加熱経過時間が予め設定された加熱基準時間よりも短かった場合、前記高温状態と判定するようにしたことを特徴とする請求項１記載の風呂給湯装置。
【請求項４】
前記判定手段は、前記変更スイッチを操作して前記風呂設定温度を下げてから入室までの変更経過時間が予め設定された変更基準時間よりも短かった場合、前記高温状態と判定するようにしたことを特徴とする請求項１記載の風呂給湯装置。
【請求項５】
前記判定手段は、前記風呂設定温度が予め設定された基準設定温度よりも高い場合、前記高温状態と判定するようにしたことを特徴とする請求項１記載の風呂給湯装置。
【発明の詳細な説明】
【技術分野】
【０００１】
本発明は、風呂給湯装置に関するものであり、より具体的には浴槽内に張られた水（湯）を自動的に追い焚きする保温運転を行う風呂保温装置を内蔵した風呂給湯装置に関するものである。
【背景技術】
【０００２】
従来の風呂保温装置は、特許文献１に示すように、風呂保温装置で保温動作に必要なインターバル時間及び追い焚き運転に要する時間を推測し、適切な時間間隔で保温するようにしているものがあった。
【０００３】
また、特許文献１には記載されていないが保温動作の場合、使用者が追い焚き運転終了後すぐに入浴するとは限らないため、時間経過による放熱を考慮して、予めリモコンで設定した設定温度よりも所定温度高い温度に達してから追い焚き運転を終了していた。
【先行技術文献】
【特許文献】
【０００４】
【特許文献１】特開平１１−1１９３９５６号公報
【発明の概要】
【発明が解決しようとする課題】
【０００５】
しかし、この従来のものでは、使用者が保温動作による追い焚き運転が終了した直後に入浴した場合、設定温度よりも高い温度で不快に感じたり、入浴前にリモコンで設定温度を変更した場合、現在の浴槽水温度が風呂設定温度に比べてどうなのかを確かめる手段が自分で浴室に行って浴槽水温度を確かめることでしか分からなく、使い勝手が悪く浴槽水温度によっては不快に感じてしまうという問題があった。
【課題を解決するための手段】
【０００６】
本発明は上記課題を解決するために、使用者が風呂設定温度を任意に変更できる変更スイッチと報知手段とを有し、浴室に設けられた浴室内リモコンと、人が浴室に入室したか否かを検知する人検知手段と、浴槽水を加熱して少なくとも前記風呂設定温度以上に沸き上げる追い焚き運転を行う本体制御手段とを備えた風呂給湯装置において、浴槽水温度が高温になっていることを注意する注意喚起情報を予め記憶する記憶手段と、浴槽水温度が高温になっているかを判定する判定手段とを設け、前記本体制御手段は、前記人検知手段で人が入室したと検知したとき、前記判定手段が前記浴槽水温度が高温である高温状態と判定した場合、前記記憶手段に記憶されている前記注意喚起情報を前記浴室内リモコンの前記報知手段から報知するようにした。
【０００７】
また、前記判定手段は、前記人検知手段で人が入室したと検知したときの浴槽水温度が予め設定された基準浴槽水温度よりも高い場合、前記高温状態と判定するようにした。
【０００８】
また、前記判定手段は、前記変更スイッチを操作して前記風呂設定温度を下げてから入室までの変更経過時間が予め設定された変更基準時間よりも短かった場合、前記高温状態と判定するようにした。
【０００９】
また、前記判定手段は、前記変更スイッチを操作して前記風呂設定温度を下げてから入室までの変更経過時間が予め設定された変更基準時間よりも短かった場合、前記高温判定とするようにした。
【００１０】
また、前記判定手段は、前記風呂設定温度が予め設定された基準設定温度よりも高い場合、前記高温状態と判定するようにした。
【発明の効果】
【００１１】
本発明によれば、入室検知時に、前記判定手段は、浴槽水の温度が高温であるか否かを判定し、高温である可能性があると判定した場合、注意喚起情報を報知するため、使用者が入浴したときに浴槽水の温度が熱くて不快になることを防ぐことができ、報知を行うタイミングは使用者が入室したときなので、入浴者に適切なタイミングで確実に注意喚起情報を知らせることができる。
【図面の簡単な説明】
【００１２】
【図１】本発明の第一実施形態の構成を示す概略図
【図２】同一実施形態の制御機能ブロック図
【図３】同一実施形態の作動を説明するためのフローチャート図
【図４】第二実施形態の作動を説明するためのフローチャート図
【図５】第三実施形態の作動を説明するためのフローチャート図
【図６】第四実施形態の作動を説明するためのフローチャート図
【発明を実施するための形態】
【００１３】
次に、本発明の第一実施形態の風呂給湯装置を図面に基づいて説明する。
図１は風呂給湯装置の構成を示す概略図で、１は湯水を貯湯する貯湯タンク、２は貯湯タンク１底部に給水する給水管、３は貯湯タンク１頂部から出湯する出湯管、４は給水管２から分岐された給水バイパス管、５は出湯管３からの湯と給水バイパス管４からの水とを混合する給湯混合弁、６は給湯混合弁５の出口と給湯栓７とを接続する給湯管、８は給湯管６を流れる湯水の流量を検出する給湯流量センサ、９は給湯管６を流れる湯水の温度を検出する給湯温度センサ、１０は給水バイパス管４を流れる給水の温度を検出する給水温度センサである。
【００１４】
１１は出湯管３からの湯と給水バイパス管４からの水とを混合する風呂混合弁、１２は風呂混合弁１１からの湯水を浴室に設置された浴槽１３へ湯張りするための湯張り管、１４は湯張り管１２を流れる湯水の流量を検出する湯張り流量センサ、１５は湯張り管１２を流れる湯水の温度を検出する湯張り温度センサ、１６は湯張り管１２の流路を開閉する湯張り電磁弁、１７は貯湯タンク１の側面上下に複数設けられて貯湯温度を検出する貯湯温度センサである。
【００１５】
１８は貯湯タンク１内に配置されたステンレス製の蛇管により構成され、浴槽１３内の浴槽水を加熱するための風呂熱交換器、１９は浴槽１３と風呂熱交換器１８とを浴槽水が循環可能に接続する風呂循環回路、２０は浴槽１３内の浴槽水を吸い込んで風呂熱交換器１８へ圧送して浴槽水を循環させるための風呂循環ポンプ、２１は浴槽水の温度を検出するための浴槽水温度センサ、２２は水圧を検知することにより浴槽１３内の水位を検出する水位センサであり、風呂循環回路１９途中には湯張り管１２が接続されている。
【００１６】
２３は貯湯タンク１内の湯水を加熱するためのヒートポンプ式の加熱手段、２４は貯湯タンク１と加熱手段２３とを湯水が循環可能に接続する加熱循環回路、２５は湯水を循環させる加熱循環ポンプである。
【００１７】
２６は浴室外に設けられた浴室外リモコン（リモートコントローラ）で、給湯装置の作動状態や設定状態を報知する表示部２６ａと、音声データや報知音等を出力するスピーカー２６ｂと、浴槽１３への湯張り運転や追い焚き運転を開始させるための風呂スイッチ２６ｃと、風呂設定温度を変更する変更スイッチ２６ｄ、制御手段２６ｅとを備えている。
【００１８】
２７は浴室内に設けられた浴室内リモコン（リモートコントローラ）で、給湯装置の作動状態や設定状態を報知する報知手段としての表示部２７ａと、音声データや報知音等を出力する報知手段としてのスピーカー２７ｂと、浴槽１３への湯張り運転や追い焚き運転を開始させるための風呂スイッチ２７ｃと、風呂設定温度を変更する変更スイッチ２７ｄ、制御手段２７ｅと、浴室内の室温を検出する浴室温度センサ２８と、浴室内への入室と退室を検知する人検知手段２９とを備えている。
【００１９】
３０はこの給湯装置の作動を制御する本体制御手段で、給湯流量センサ８、給湯温度センサ９、給水温度センサ１０、湯張り流量センサ１４、湯張り温度センサ１５、貯湯温度センサ１７、浴槽水温度センサ２１、水位センサ２２、浴室温度センサ２８の検出値が入力され、給湯混合弁５、風呂混合弁１１、湯張り電磁弁１６、風呂循環ポンプ２０、加熱手段２３の作動を制御すると共に、浴室外リモコン２６および浴室内リモコン２７と必要な情報を送受信可能に接続されている。ここで、本体制御手段３０は、ＭＰＵ等の論理回路を有してメモリを参照しつつ予め記憶されているプログラムに従って作動を制御するものである。
【００２０】
次に図２に示す本発明の一実施形態の制御機能ブロック図について説明すると、本体制御手段３０には、浴槽水温度センサ２１の検出値又はリモコンの特定操作からの経過時間等から浴槽水の温度が高温の可能性がある状態を判定する判定手段３０ａとが設けられている。
【００２１】
浴室内リモコン２７の制御手段２７ｅには、浴槽水温度が高温になっていることを注意する注意喚起情報を予め記憶する記憶手段２７ｆが設けられている。
【００２２】
この記憶手段２７ｆには、注意喚起情報として、「お風呂の温度が高温になっています。入浴時には注意してください。」等の報知が、人が浴室に入室したとき、判定手段３０ａの所定結果に基づいて行われる。
【００２３】
次に、本発明の風呂給湯装置の作動について説明する。
【００２４】
＜沸き上げ運転＞
電力料金単価の安価な所定時間帯（深夜時間帯）の開始時刻になると、本体制御手段３７はそれまでの給湯負荷量に見合う湯量を沸き上げ開始するべく、加熱手段２３に対し、給湯負荷量に見合う沸き上げ目標温度と沸き上げ開始の指示を送信し、加熱手段２３は加熱循環ポンプ２５を駆動開始して、貯湯タンク１下部から取り出した湯水を沸き上げ目標温度まで加熱して貯湯タンク１上部へ戻し、貯湯タンク１上部から沸き上げ設定温度の湯を積層状に貯湯し、本体制御手段３０は貯湯タンク１の最下部まで沸き上げるか、所定時間帯の終了時刻に到達すると、加熱手段２３に沸き上げの停止を指示し、加熱手段２３は加熱循環ポンプ２５を駆動停止して沸き上げ運転を終了する。
【００２５】
＜給湯＞
給湯栓７が開かれると、貯湯タンク１の底部に給水管２から市水が流入すると共に貯湯タンク１の頂部から出湯管３を介して高温の湯が出湯し、給湯混合弁５で給水バイパス管４からの水と混合されて給湯管６を通過する。そして、給湯流量センサ８が最低作動水量以上を検出すると、本体制御手段３０は、給湯温度センサ９が検出する温度が給湯設定温度と一致するように給湯混合弁５の弁開度をフィードバック制御して、給湯設定温度の給湯を行う。そして、給湯栓７が閉じられる等によって、給湯流量センサ８が最低作動水量未満を検出すると、本体制御手段３０は、給湯混合弁５の弁開度のフィードバック制御を停止して給湯停止するようにしている。
【００２６】
＜風呂自動運転＞
次に、風呂自動運転について説明する。浴室外リモコン２６の風呂スイッチ２６ｃまたは浴室内リモコン２７の風呂スイッチ２７ｃが操作されると、本体制御手段３０は、湯張り電磁弁１６を開弁し、湯張り温度センサ１５が検出する温度が風呂設定温度と一致するように風呂混合弁１１の弁開度をフィードバック制御して、風呂設定温度の湯張り運転を開始する。
【００２７】
そして、本体制御手段３０は、湯張り流量センサ１４で検出する湯張り流量の積算値が風呂設定湯量となると、または水位センサ２２が風呂設定水位を検出すると、湯張り電磁弁１６を閉弁して湯張り運転を終了し、風呂の保温運転を行う。
【００２８】
風呂の保温運転では、一定時間毎に風呂循環ポンプ２０を駆動して浴槽水温度センサ２１で浴槽水の温度を確認し、風呂設定温度より低くなっていることを検知すると、循環を継続して浴槽水を風呂熱交換器１８で加熱する。そして、浴槽水温度センサ２１で浴槽水の温度が風呂設定温度以上に上昇したことを確認すると、風呂循環ポンプ２０の駆動を停止する。
【００２９】
また、本体制御手段３０は、湯張り停止時の浴槽１３内の水位を水位センサ２２の検出値に基づいて記憶し、浴槽１３内の水位が記憶した水位から低下すると、元の水位になるまで湯張りする風呂補水運転を行う。
【００３０】
次に、本発明の特徴的作動の浴槽水温度センサ２１で検出した温度に応じて注意喚起情報を報知する第一の実施形態を説明する。
【００３１】
本体制御手段３０は、浴室内リモコン２７に備えられた人検知手段２９で人が浴室に入室したことを検知すると（Ｓ１がＹｅｓ）、風呂循環ポンプ２０を駆動させ、浴槽水温度センサ２１で浴槽水の温度を検出する（Ｓ２）。
【００３２】
判定手段３０ａは、検出した浴槽水温度が所定の基準温度よりも高いか低いかを確認し（Ｓ３）、本体制御手段３０は、判定手段３０ａが浴槽水の温度が基準温度よりも低いと判定した場合（Ｓ３がＮｏ）、注意喚起を行わず（Ｓ４）、浴槽水温度が基準温度よりも高いと判定した場合（Ｓ３がＹｅｓ）、浴室内リモコン２７のスピーカー２７ｂから予め記憶手段２７ｆに記憶された浴槽水温度が高温であるという旨の注意喚起を行う（Ｓ５）。ここで、基準温度は、浴槽水温度が高温であり、入浴者が熱いと思う浴槽水温度（ここでは、４４℃）に予め設定している。
【００３３】
このように、第一の実施形態の判定手段３０ａの所定の条件を浴槽水温度が予め決められた基準温度よりも高いか否かで判断しており、人が浴室に入室したとき、浴槽水温度が基準温度を超えている場合、浴槽水が高温であるということであり、本体制御手段３０は記憶手段２７ｆに記憶されている浴槽水が高温になっている旨の注意喚起情報を報知することで、入浴する人は、予期せず入浴して浴槽水の温度が熱すぎて不快となることを防ぐと共に、注意喚起情報の報知は人検知手段２９で人が浴室に入室したタイミングで行うため、入浴者に適切なタイミングで確実に注意喚起情報を知らせることができる。
【００３４】
次に、追い焚き運転もしくは風呂自動運転による風呂保温運転が行われた後の経過時間に応じて注意喚起情報を報知する第二の実施形態を説明する。
【００３５】
本体制御手段３０は、追い焚き運転もしくは風呂自動運転による風呂保温運転が実施されると（Ｓ６がＹｅｓ）、加熱経過時間のカウントを開始し（Ｓ７）、浴室内リモコン２７に備えられた人検知手段２９で人が浴室に入室したことを検知すると（Ｓ８がＹｅｓ）、本体制御手段３０は、加熱経過時間のカウントを終了し（Ｓ９）、追い焚き運転もしくは風呂自動運転による風呂保温運転が実施されてからの加熱経過時間を確認する（Ｓ１０）。
【００３６】
判定手段３０ａは、確認した加熱経過時間が所定の加熱基準時間よりも長いか短いかを確認し（Ｓ１１）、本体制御手段３０は、加熱経過時間が加熱基準時間よりも長い場合（Ｓ１１がＮｏ）、注意喚起を行わず（Ｓ１２）、加熱経過時間が加熱基準時間よりも短い場合（Ｓ１１がＹｅｓ）、浴室内リモコン２７のスピーカー２７ｂから予め記憶手段２７ｆに記憶された浴槽水温度が高温であるという旨の注意喚起を行う（Ｓ１３）。ここで、加熱基準時間は、直前の追い焚き運転から浴槽水の温度が風呂設定温度まで冷めるのにかかる時間（ここでは５分）を予め設定している。
【００３７】
このように、第二の実施形態の判定手段３０ａの所定の条件を追い焚き運転からの経過時間が予め定められた所定の加熱基準時間よりも長いか短いかで判断しており、人が浴室に入室したとき、追い焚き運転後からの加熱経過時間が加熱基準時間よりも短い場合、追い焚き運転で浴槽水が高温に加熱されてからあまり時間が経過しておらず、風呂設定温度よりも熱く、高温であるということで、本体制御手段３０は記憶手段２７ｆに記憶されている浴槽水が高温になっている旨の注意喚起情報を報知することで、入浴する人は、予期せず入浴して浴槽水の温度が熱すぎて不快となることを防ぐと共に、注意喚起情報の報知は人検知手段２９で人が浴室に入室したタイミングで行うため、入浴者に適切なタイミングで確実に注意喚起情報を知らせることができる。
【００３８】
次に、浴室外リモコン２６または浴室内リモコン２７を操作して、風呂設定温度を下げてからの経過時間に応じて注意喚起情報を報知する第三の実施形態を説明する。
【００３９】
本体制御手段３０は、浴室外リモコン２６もしくは浴室内リモコン２７で風呂設定温度を下げる操作が行われると（Ｓ１４がＹｅｓ）、変更経過時間のカウントを開始し（Ｓ１５）、浴室内リモコン２７に備えられた人検知手段２９で人が浴室に入室したことを検知すると（Ｓ１６がＹｅｓ）、本体制御手段３０は、変更経過時間のカウントを終了し（Ｓ１７）、風呂設定温度を下げてからの変更経過時間の確認をする（Ｓ１８）。
【００４０】
判定手段３０ａは、確認した変更経過時間が所定の変更基準時間よりも長いか短いかを確認し（Ｓ１９）、本体制御手段３０は、変更経過時間が変更基準時間よりも長い場合（Ｓ１９がＮｏ）、注意喚起を行わず（Ｓ２０）、変更経過時間が変更基準時間よりも短い場合（Ｓ１９がＹｅｓ）、浴室内リモコン２７のスピーカー２７ｂから予め記憶手段２７ｆに記憶された浴槽水温度が高温であるという旨の注意喚起を行う（Ｓ２１）。ここで、変更基準時間は、リモコン操作により風呂設定温度が下げられてから、風呂設定温度まで下がるのにかかる時間（ここでは５分）を予め設定している。
【００４１】
このように、第三の実施形態の判定手段３０ａの所定の条件をリモコン操作で風呂設定温度を下げてからの経過時間が予め定められた変更経過時間よりも長いか短いかで判断しており、人が浴室に入室したとき、風呂設定温度を下げた後からの変更経過時間が変更基準時間よりも短い場合、前回の風呂設定温度から冷めておらず、入浴者が所望していた風呂設定温度よりも高温であるということで、本体制御手段３０は記憶手段２７ｆに記憶されている浴槽水が高温になっている旨の注意喚起情報を報知することで、入浴する人は、予期せず入浴して浴槽水の温度が熱すぎて不快となることを防ぐと共に、注意喚起情報の報知は人検知手段２９で人が浴室に入室したタイミングで行うため、入浴者に適切なタイミングで確実に注意喚起情報を知らせることができる。
【００４２】
次に、浴槽水温度センサ２１で検出した温度と予め設定された風呂設定温度とを比較して注意喚起情報を報知する第四の実施形態を説明する。
【００４３】
本体制御手段３０は、浴室内リモコン２７に備えられた人検知手段２９で人が浴室に入室したことを検知すると（Ｓ２２がＹｅｓ）、本体制御手段３０は設定された風呂設定温度を確認する（Ｓ２３）。
【００４４】
判定手段３０ａは、確認した風呂設定温度が所定の基準設定温度よりも高いか低いかを確認し（Ｓ２４）、風呂設定温度が基準設定温度よりも低いと判定した場合（Ｓ２４がＮｏ）、注意喚起を行わず（Ｓ２５）、風呂設定温度が基準設定温度よりも高いと判定した場合（Ｓ２４がＹｅｓ）、浴室内リモコン２７のスピーカー２７ｂから予め記憶手段２７ｆに記憶された浴槽水温度が高温であるという旨の注意喚起を行う（Ｓ２６）。ここで、基準設定温度は、風呂設定温度が高温であり、入浴者が熱いと思う浴槽水温度（ここでは、４４℃）に予め設定している。
【００４５】
このように、第四の実施形態の判定手段３０ａの所定の条件を風呂設定温度が予め決められた基準設定温度よりも高いか否かで判断しており、人が浴室に入室したとき、風呂設定温度が基準設定温度を超えている場合、浴槽水が高温であるということであり、本体制御手段３０は記憶手段２７ｆに記憶されている浴槽水が高温になっている旨の注意喚起情報を報知することで、入浴する人は、浴槽水の温度が熱すぎて不快となることを防ぐと共に、注意喚起情報の報知は人検知手段２９で人が浴室に入室したタイミングで行うため、入浴者に適切なタイミングで確実に注意喚起情報を知らせることができる。
【００４６】
なお、本発明は上記実施形態に限定されるものではなく、発明の要旨を変更しない範囲で改変可能なものであり、例えば、本発明では基準温度、加熱基準時間、変更基準時間、基準設定温度のように、高温だと判定する温度や時間を設定しているがこの値は適宜変更するものでも良い。
【００４７】
また、第三の実施形態では変更基準時間を５分と設定していたが変更前と変更後の風呂設定温度の温度差に応じて、浴槽水の温度がさめるのに必要な変更基準時間を適宜変更するものとしても良い（例えば、変更前と変更後の温度差が１℃なら５分、変更前と変更後の温度差が２℃なら７分）。
【００４８】
また、ヒートポンプ式の加熱手段２３で湯水を加熱する貯湯式の風呂給湯装置を例に説明したが、例えば、ガスや灯油を燃料とした瞬間加熱式の風呂給湯装置であってもよい。
【００４９】
また、注意喚起情報は、入室時に浴室内リモコン２７近くに人がいることを想定してスピーカー２７ｂからの音声による報知をしているが、他にも浴室内リモコン２７の表示部２７ａに文字データとして報知する方法や、ランプの点灯による報知等もあり、いくつかの組み合わせで報知してもよいものである。
【符号の説明】
【００５０】
１３    浴槽
２１    浴槽水温度センサ
２７    浴室内リモコン（リモートコントローラ）
２７ａ  表示部（報知手段）
２７ｂ  スピーカー（報知手段）
２７ｃ  風呂スイッチ
２７ｄ  変更スイッチ
２７ｅ  制御手段
２７ｆ  記憶手段
２９    人検知手段
３０    本体制御手段（制御手段）
３０ａ  判定手段
【図１】
2020016407.tif 000003
【図２】
2020016407.tif 000004
【図３】
2020016407.tif 000005
【図４】
2020016407.tif 000006
【図５】
2020016407.tif 000007
【図６】
2020016407.tif 000008